【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
データ処理装置において、表示域内の、表示するためのコンテンツアイテムを含むウェブページの表示状態を指定する表示データを受信するステップと、
前記データ処理装置により、前記表示データから、前記表示域内に表示されない前記コンテンツアイテムの第2の部分に対する、前記表示域内に表示された前記コンテンツアイテムの第1の部分の測度である比例測定値を算出するステップと、
前記データ処理装置により、前記表示データから、前記表示域のズームレベルの測度であるズームレベル測定値を算出するステップと、
前記データ処理装置により、前記ズームレベル測定値および前記比例測定値に基づいて、前記コンテンツアイテムに関して印象が生じたかどうかを判定するステップとを備えるコンピュータによって実施される方法。
【請求項２】
前記データ処理装置により、前記表示データから、前記コンテンツアイテムの少なくとも一部分が前記表示域内に表示される持続時間の測度である表示持続時間測定値を算出するステップを備える方法であって、
前記ズームレベル測定値および前記比例測定値に基づいて、前記コンテンツアイテムに関して印象が生じたかどうかを判定するステップは、前記ズームレベル測定値、前記比例測定値、および前記表示持続時間測定値に基づいて、前記コンテンツアイテムに関して印象が生じたかどうかを判定するステップを備える請求項1に記載の方法。
【請求項３】
前記ズームレベル測定値および前記比例測定値に基づいて、前記コンテンツアイテムに関して印象が生じたかどうかを判定するステップは、
前記ズームレベル測定値がズームレベルしきい値を超えたかどうかを判定するステップと、
前記比例測定値が比例測定値しきい値を超えたかどうかを判定するステップと、
前記ズームレベル測定値が前記ズームレベルしきい値を超え、さらに前記比例測定値が前記比例測定値しきい値を超えた場合、印象が生じたと判定するステップを備える請求項1に記載の方法。
【請求項４】
前記ズームレベル測定値が前記ズームレベルしきい値を超え、さらに前記比例測定値が前記比例測定値しきい値を超えた場合、印象が生じたと判定するステップは、前記ズームレベル測定値が、或る期間中に前記ズームレベルしきい値を超え、さらに前記比例測定値が、同一の期間中に前記比例測定値しきい値を超えた場合、印象が生じたと判定するステップを備える請求項3に記載の方法。
【請求項５】
前記ズームレベルしきい値は、前記比例測定値に基づいて、変わり、さらに前記比例測定値しきい値は、前記ズームレベルに基づいて、変わる請求項3に記載の方法。
【請求項６】
前記コンテンツアイテムは、広告を備える方法であって、
前記ズームレベル測定値が前記ズームレベルしきい値を超え、さらに前記比例測定値が前記比例測定値しきい値を超えた場合に限り、印象に対して、前記広告に関連する広告主に料金請求するステップを備える請求項3に記載の方法。
【請求項７】
前記コンテンツアイテムは、前記ウェブページ上の位置を有する方法であって、
前記ウェブページ上の前記コンテンツアイテムの前記位置を基準とした前記コンテンツアイテムの印象の数を規定する位置メトリックを算出するステップを備える請求項1に記載の方法。
【請求項８】
データ処理装置において、表示域内のウェブページの表示状態を指定する表示データを受信するステップと、
前記データ処理装置により、前記表示データから、前記表示域のズームレベルの測度であるズームレベル測定値を算出するステップと、
前記ウェブページ上に表示位置を有する、前記ウェブページに関連付けられたコンテンツアイテムを識別するステップと、
前記コンテンツアイテムの代替の表現を識別するステップと、
前記表示域内に前記表示位置で前記表示するためのコンテンツアイテムを供給し、前記コンテンツアイテムは、前記ズームレベル測定値がズームレベルしきい値を超える場合に限り、表示されるステップと、
前記表示域内に前記表示位置で前記表示するためのコンテンツアイテムの前記代替の表現を供給し、前記代替の表現は、前記ズームレベル測定値が前記ズームレベルしきい値を超えない場合に限り、表示されるステップとを備えるコンピュータによって実施される方法。
【請求項９】
前記代替の表現は、前記コンテンツアイテムの広告主のロゴを備える請求項7に記載の方法。
【請求項１０】
実行されると、コンピュータに、
表示域内の、表示するためのコンテンツアイテムを含むウェブページの表示状態を指定する表示データを受信する動作と、
前記表示データから、前記表示域内に表示されない前記コンテンツアイテムの第2の部分に対する、前記表示域内に表示された前記コンテンツアイテムの第1の部分の測度である比例測定値を算出する動作と、
前記表示データから、前記表示域のズームレベルの測度であるズームレベル測定値を算出する動作と、
前記ズームレベル測定値および前記比例測定値に基づいて、前記コンテンツアイテムに関して印象が生じたかどうかを判定する動作とを実行させるように作用する命令を備えるコンピュータプログラムが符号化されたコンピュータ可読媒体。
【請求項１１】
前記表示データから、前記コンテンツアイテムの少なくとも一部分が前記表示域内に表示される持続時間の測度である表示持続時間測定値を算出するステップを備えるコンピュータ可読媒体であって、
前記ズームレベル測定値および前記比例測定値に基づいて、前記コンテンツアイテムに関して印象が生じたかどうかを判定するステップは、前記ズームレベル測定値、前記比例測定値、および前記表示持続時間測定値に基づいて、前記コンテンツアイテムに関して印象が生じたかどうかを判定するステップを備える請求項10に記載のコンピュータ可読媒体。
【請求項１２】
前記ズームレベル測定値および前記比例測定値に基づいて、前記コンテンツアイテムに関して印象が生じたかどうかを判定するステップは、
前記ズームレベル測定値がズームレベルしきい値を超えたかどうかを判定するステップと、
前記比例測定値が比例測定値しきい値を超えたかどうかを判定するステップと、
前記ズームレベル測定値が前記ズームレベルしきい値を超え、さらに前記比例測定値が前記比例測定値しきい値を超えた場合、印象が生じたと判定するステップを備える請求項10に記載のコンピュータ可読媒体。
【請求項１３】
前記コンテンツアイテムは、広告を備えるコンピュータ可読媒体であって、
前記ズームレベル測定値が前記ズームレベルしきい値を超え、さらに前記比例測定値が前記比例測定値しきい値を超えた場合に限り、印象に対して、前記広告に関連する広告主に料金請求するステップをさらに備える請求項10に記載のコンピュータ可読媒体。
【請求項１４】
表示域内の、表示するためのコンテンツアイテムを含むウェブページの表示状態を指定する表示データを受信する動作と、
前記表示データから、前記表示域内に表示されない前記コンテンツアイテムの第2の部分に対する、前記表示域内に表示された前記コンテンツアイテムの第1の部分の測度である比例測定値を算出する動作と、
前記表示データから、前記表示域のズームレベルの測度であるズームレベル測定値を算出する動作と、
前記ズームレベル測定値および前記比例測定値に基づいて、前記コンテンツアイテムに関して印象が生じたかどうかを判定する動作とを備える動作を実行するように動作可能な1つまたは複数のコンピュータを備えるシステム。
【請求項１５】
クライアントデバイスにより、前記クライアントデバイスの表示域内に表示するためにリソースプロバイダからリソースを要求するステップと、
前記要求に応答して、前記クライアントデバイスにおいて、表示するためのコンテンツアイテムを含む前記リソースを受信するステップと、
前記クライアントデバイスにおいて、前記表示域内に表示されない前記コンテンツアイテムの第2の部分に対する、前記表示域内に表示された前記コンテンツアイテムの第1の部分の測度である比例測定値を算出するステップと、
前記クライアントデバイスにおいて、前記表示域のズームレベルの測度であるズームレベル測定値を算出するステップと、
前記クライアントデバイスにおいて、前記ズームレベル測定値および前記比例測定値に基づいて、前記コンテンツアイテムに関して印象が生じたかどうかを判定するステップとを備えるコンピュータによって実施される方法。
【請求項１６】
前記クライアントデバイスにおいて、前記コンテンツアイテムの少なくとも一部分が前記表示域内に表示される持続時間の測度である表示持続時間測定値を算出するステップを備える方法であって、
前記ズームレベル測定値および前記比例測定値に基づいて、前記コンテンツアイテムに関して印象が生じたかどうかを判定するステップは、前記ズームレベル測定値、前記比例測定値、および前記表示持続時間測定値に基づいて、前記コンテンツアイテムに関して印象が生じたかどうかを判定するステップを備える請求項15に記載の方法。